(57)【要約】【課題】バッテリに異常が発生した場合でも、正常な電池モジュールの出力のみによって安全に走行を続けることが可能な電動車両を提供する。【解決手段】バッテリ制御部は、複数の電池モジュールの各々の状態を検出する状態検出部と、状態検出部が検出した各電池モジュールの状態に基づいて、異常な電池モジュールを特定する異常判定部と、異常な電池モジュールを少なくとも電動機への通電経路から切り離すようにバッテリのモジュール切替部を制御するモジュール切替制御部と、を有し、バッテリ制御部は、正常な電池モジュールに基づく出力上限値を算出し、モジュール切替制御部は、出力上限値が所定値以上の場合、異常な電池モジュールを通電経路から切り離すようモジュール切替部を制御する。【選択図】図２
2010273417.tif 000002
【特許請求の範囲】
【請求項１】
複数の電池モジュールと、前記複数の電池モジュールの通電形態を切替えるモジュール切替部と、を有するバッテリと、
前記バッテリを制御するバッテリ制御部と、
前記バッテリから供給される電力によって駆動される電動機と、を備え、前記電動機からの動力により走行可能な電動車両であって、
前記バッテリ制御部は、
前記複数の電池モジュールの各々の状態を検出する状態検出部と、
前記状態検出部が検出した各電池モジュールの状態に基づいて、異常な電池モジュールを特定する異常判定部と、
前記異常な電池モジュールを少なくとも前記電動機への通電経路から切り離すよう前記モジュール切替部を制御するモジュール切替制御部と、を有し、
前記バッテリ制御部は、前記異常な電池モジュールを除いた正常な電池モジュールに基づく出力上限値を算出し、前記モジュール切替制御部は、前記出力上限値が所定値以上の場合、前記異常な電池モジュールを前記通電経路から切り離すよう前記モジュール切替部を制御することを特徴とする電動車両。
【請求項２】
前記モジュール切替制御部は、前記出力上限値が所定値未満の場合、前記電池モジュールの全てを前記通電経路から切り離すよう前記モジュール切替部を制御することを特徴とする請求項１に記載の電動車両。
【請求項３】
内燃機関の駆動によって発電する発電機と、前記電動機を制御する電動機制御部と、前記発電機を制御する発電機制御部と、をさらに備え、
前記バッテリ制御部は、前記正常な電池モジュールから構成されるバッテリの充電状態の上限値及び下限値を算出し、前記電動機制御部及び前記発電機制御部は、前記充電状態の上限値及び下限値に基づいて前記電動機及び発電機を制御することを特徴とする請求項１または２に記載の電動車両。
【請求項４】
前記バッテリ制御部は、前記バッテリを収容するボックスが開放されたことを検知するボックス開放検知部を有し、
前記ボックスの開放が検出された場合、前記モジュール切替制御部は、前記電池モジュールの全てを前記通電経路から切り離すよう前記モジュール切替部を制御することを特徴とする請求項１から３のいずれかに記載の電動車両。
【請求項５】
前記バッテリは、前記バッテリを充電するために商用電源と接続可能な接続プラグを有し、
前記接続プラグが前記商用電源と接続された場合、前記バッテリ制御部は、各電池モジュールの状態に応じて前記バッテリを制御することを特徴とする請求項１から４のいずれかに記載の電動車両。
【請求項６】
前記複数の電池モジュールは直列に接続されており、前記モジュール切替部は各モジュールに設けられたバイパススイッチであることを特徴とする請求項１から５のいずれかに記載の電動車両。
【請求項７】
前記複数の電池モジュールは並列に接続されており、前記モジュール切替部は各モジュールを選択するモジュール選択スイッチであることを特徴とする請求項１から５のいずれかに記載の電動車両。
【発明の詳細な説明】
【技術分野】
【０００１】
本発明は、バッテリから供給される電力によって駆動される電動機を備え、電動機からの動力により走行可能な電動車両に関する。
【背景技術】
【０００２】
ＥＶ（Electric Vehicle：電気自動車）やＨＥＶ（Hybrid Electrical Vehicle：ハイブリッド電気自動車）等の車両には、電動機等に電力を供給するためのバッテリが搭載される。このようなバッテリは、リチウムイオン電池、ニッケル水素電池などの蓄電池を複数接続して電池モジュールを構成し、この電池モジュールを複数接続することにより構成される。
【０００３】
車両に搭載されるバッテリは、車両に搭載したままの長期間の放置や、充放電の繰り返しなどによって、徐々に劣化する。従来、このような劣化やその他の故障等によるバッテリの異常を検知した場合には、ユーザに警告を行った後に、バッテリを走行用電動機及び発電機から切り離して、バッテリの使用を中止することが知られている（例えば、特許文献１参照）。また、人工衛星等の無人運転システムに用いられるバッテリについて、故障したセル（電池モジュール）を短絡することが知られている（例えば、特許文献２参照）。
【先行技術文献】
【特許文献】
【０００４】
【特許文献１】特開２００９−６０６９５号公報
【特許文献２】特開昭６３−２４５２２８号公報
【発明の概要】
【発明が解決しようとする課題】
【０００５】
前述したように、車両に搭載されるバッテリは、複数の電池モジュールを直列または並列に接続することによって構成される。そのため、バッテリに異常が発生した場合であっても、異常な電池モジュールのみを通電経路からから切り離すことにより、正常な電池モジュールのみを用いて走行を続けることが可能な場合がある。
【０００６】
しかしながら、バッテリに生じた異常の規模や状況等によっては、正常な電池モジュールだけでは車両の走行に必要な出力が得られない可能性も存在する。従って、異常な電池モジュールを切り離す前に、正常な電池モジュールの出力のみによって安全に走行を続けることが可能かどうかを判断する必要がある。
【０００７】
本発明は、前述した課題に鑑みてなされたものであり、その目的は、車両に搭載されたバッテリに異常が発生した場合であっても、正常な電池モジュールの出力のみによって安全に走行を続けることが可能な電動車両を提供することである。
【課題を解決するための手段】
【０００８】
上記目的を達成するために、請求項１に係る発明は、複数の電池モジュールと、前記複数の電池モジュールの通電形態を切替えるモジュール切替部（例えば、後述の実施形態におけるバイパススイッチ１３１）と、を有するバッテリ（例えば、後述の実施形態におけるバッテリ１０１）と、前記バッテリを制御するバッテリ制御部（例えば、後述の実施形態におけるバッテリＥＣＵ１１９）と、前記バッテリから供給される電力によって駆動される電動機（例えば、後述の実施形態における電動機１０５）と、を備え、前記電動機からの動力により走行可能な電動車両であって、前記バッテリ制御部は、前記複数の電池モジュールの各々の状態を検出する状態検出部（例えば、後述の実施形態における状態検出部１４１）と、前記状態検出部が検出した各電池モジュールの状態に基づいて、異常な電池モジュールを特定する異常判定部（例えば、後述の実施形態における異常判定部１４３）と、前記異常な電池モジュールを少なくとも前記電動機への通電経路から切り離すよう前記モジュール切替部を制御するモジュール切替制御部（例えば、後述の実施形態におけるモジュール切替制御部１４５）と、を有し、前記バッテリ制御部は、前記異常な電池モジュールを除いた正常な電池モジュールに基づく出力上限値を算出し、前記モジュール切替制御部は、前記出力上限値が所定値以上の場合、前記異常な電池モジュールを前記通電経路から切り離すよう前記モジュール切替部を制御することを特徴とする。
【０００９】
請求項２に係る発明は、請求項１に記載の電動車両において、前記モジュール切替制御部は、前記出力上限値が所定値未満の場合、前記電池モジュールの全てを前記通電経路から切り離すよう前記モジュール切替部を制御することを特徴とする。
【００１０】
請求項３に係る発明は、請求項１または２に記載の電動車両において、内燃機関の駆動によって発電する発電機（例えば、後述の実施形態における発電機１０９）と、前記電動機を制御する電動機制御部（例えば、後述の実施形態におけるモータＥＣＵ１０９）と、前記発電機を制御する発電機制御部（例えば、後述の実施形態におけるジェネレータＥＣＵ１０９）と、をさらに備え、前記バッテリ制御部は、前記正常な電池モジュールから構成されるバッテリの充電状態の上限値及び下限値を算出し、前記電動機制御部及び前記発電機制御部は、前記充電状態の上限値及び下限値に基づいて前記電動機及び発電機を制御することを特徴とする。
【００１１】
請求項４に係る発明は、請求項１から３のいずれかに記載の電動車両において、前記バッテリ制御部は、前記バッテリを収容するボックスが開放されたことを検知するボックス開放検知部を有し、前記ボックスの開放が検出された場合、前記モジュール切替制御部は、前記電池モジュールの全てを前記通電経路から切り離すよう前記モジュール切替部を制御することを特徴とする
【００１２】
請求項５に係る発明は、請求項１から４のいずれかに記載の電動車両において、前記バッテリは、前記バッテリを充電するために商用電源と接続可能な接続プラグ（例えば、後述の実施形態における接続プラグ１３３）を有し、前記接続プラグが前記商用電源と接続された場合、前記バッテリ制御部は、各電池モジュールの状態に応じて前記バッテリを制御することを特徴とする
【００１３】
請求項６に係る発明は、請求項１から５のいずれかに記載の電動車両において、前記複数の電池モジュールは直列に接続されており、前記モジュール切替部は各モジュールに設けられたバイパススイッチ（例えば、後述の実施形態におけるバイパススイッチ１３１）であることを特徴とする。
【００１４】
請求項７に係る発明は、請求項１から５のいずれかに記載の電動車両において、前記複数の電池モジュールは並列に接続されており、前記モジュール切替部は各モジュールを選択するモジュール選択スイッチ（例えば、後述の実施形態におけるモジュール選択スイッチ１３５）であることを特徴とする。
【発明の効果】
【００１５】
請求項１の発明によれば、正常な電池モジュールに基づいた出力上限値が所定値以上の場合には、異常な電池モジュールのみを通電経路からから切り離すことによって、正常な電池モジュールにより安全に走行を続けることができ、車両の動作信頼性を向上することができる。
【００１６】
請求項２の発明によれば、正常な電池モジュールに基づいた出力上限値が所定値未満の場合には全電池モジュールを通電経路からから切り離すことによって、安全性を向上することができる。
【００１７】
請求項３の発明によれば、正常な電池モジュールから構成されるバッテリの充電状態の上限値及び下限値に基づいて電動機及び発電機を制御することによって、バッテリの状態に応じた適切な走行を行うことができる。
【００１８】
請求項４の発明によれば、ボックスが開放されたときには全電池モジュールを通電経路から切り離すことによって、安全性を向上することができる。
【００１９】
請求項５の発明によれば、各電池モジュールの状態に応じて充電を行うことができる。
【００２０】
請求項６、７の発明によれば、異常な電池モジュールを通電経路から容易に切り離すことができる。
【図面の簡単な説明】
【００２１】
【図１】シリーズ・パラレル方式のＨＥＶの内部構成を示すブロック図である。
【図２】本発明の実施形態にかかる電動車両の電池モジュール切替処理系の概略構成を示すブロック図である。
【図３】電池モジュールの切替動作を説明するフローチャートである。
【図４】各電池モジュールが直列に接続されたバッテリの一例を示す概略図である。
【図５】バッテリのメンテナンス時の動作を説明するフローチャートである。
【図６】接続プラグによるバッテリ充電時の動作を示すフローチャートである。
【図７】各電池モジュールが並列に接続されたバッテリ一例を示す概略図である。
【発明を実施するための形態】
【００２２】
以下、本発明の実施の形態を、添付図面に基づいて説明する。なお、図面は符号の向きに見るものとする。
【００２３】
ＨＥＶ（Hybrid Electrical Vehicle：ハイブリッド電気自動車）は、電動機及び内燃機関を備え、車両の走行状態に応じて電動機及び／又は内燃機関の駆動力によって走行する。ＨＥＶには、大きく分けてシリーズ方式とパラレル方式の２種類がある。シリーズ方式のＨＥＶは、バッテリを電源とした電動機の駆動力によって走行する。内燃機関は発電のためだけに用いられ、内燃機関の駆動力によって発電された電力はバッテリに充電されるか、電動機に供給される。一方、パラレル方式のＨＥＶは、電動機及び内燃機関のいずれか一方又は双方の駆動力によって走行する。また、両方式を複合したシリーズ・パラレル方式のＨＥＶも知られている。
【００２４】
以下、シリーズ方式のＨＥＶを用いて説明するが、本発明は、他の方式のＨＥＶについても適用可能である。
【００２５】
図１は、シリーズ方式のＨＥＶの内部構成を示すブロック図である。図１に示すシリーズ方式のＨＥＶ（以下、単に「車両」という。）は、バッテリ(BATT)１０１と、第１インバータ(第１INV)１０３と、電動機(MOT)１０５と、多気筒内燃機関(ENG)１０７と、発電機(GEN)１０９と、第２インバータ(第２INV)１１１と、ギアボックス１１５と、マネジメントＥＣＵ(MG ECU)１１７と、バッテリＥＣＵ(BATT ECU)１１９と、モータＥＣＵ(MOT ECU)１２１と、ジェネレータＥＣＵ(BATT ECU)１２３と、エンジンＥＣＵ(ENG ECU)１２５と、を備える。
【００２６】
図１に示す車両では、バッテリ１０１を電源とした電動機１０５からの駆動力がギアボックス１１５を介して駆動輪１２９に伝達される。この車両の走行形態は、「ＥＶ走行」または「シリーズ走行」となる。ＥＶ走行時には、バッテリ１０１からの電源供給によって駆動する電動機１０５の駆動力によって、車両が走行する。また、シリーズ走行時には、バッテリ１０１からの電源供給及び内燃機関１０７の駆動により発電機１０９で発生した電力の供給によって駆動する電動機１０５の駆動力によって、車両が走行する。
【００２７】
バッテリ１０１は、ボックス内に収容される、直列に接続された複数の電池モジュールにより構成され、例えば１００〜２００Ｖの高電圧を供給する。各電池モジュールは、例えばリチウムイオン電池などの蓄電池を複数個直列に接続されることにより構成されている。
【００２８】
第１インバータ１０３は、バッテリ１０１からの直流電圧を交流電圧に変換して、３相電流を電動機１０５に供給する。電動機１０５は、車両が走行するための動力（トルク）を発生する。電動機１０５で発生したトルクは、ギア１１５を介して駆動輪１２９の駆動軸１２７に伝達される。
【００２９】
多気筒内燃機関（以下、単に「内燃機関」という。）１０７は、動力（トルク）を発生し、この動力は発電機１０９で消費される。発電機１０９は内燃機関１０７に直結されている。
【００３０】
発電機１０９は、内燃機関１０７によって駆動されることで電力を発生する。発電機１０９によって発電された電力は、バッテリ１０１に充電されるか、電動機１０５に供給される。第２インバータ１１１は、発電機１０９で発生した交流電圧を直流電圧に変換する。第２インバータ１１１によって変換された電力はバッテリ１０１に充電されるか、第１インバータ１０３を介して電動機１０５に供給される。
【００３１】
ギアボックス１１５は、電動機１０５からの駆動力を、所望の変速比での回転数及びトルクに変換して、駆動軸１２７に伝達する変速機である。なお、ギアボックス１１５と電動機１０５の回転子は直結されている。
【００３２】
マネジメントＥＣＵ１１７は、ＥＶ走行またはシリーズ走行の切り替えや、電動機１０５や内燃機関１０７の制御等を行う。また、マネジメントＥＣＵ１１７には、車両の速度を検出する車速センサ（図示せず）からの情報や、アクセル開度等のドライバによって要求された車両の駆動力を検出する要求駆動力センサ（図示せず）からの情報が入力される。
【００３３】
モータＥＣＵ１２１は、マネジメントＥＣＵ１１７の指示に応じて、電動機１０５を制御する。ジェネレータＥＣＵ１２３は、マネジメントＥＣＵ１１７の指示に応じて、発電機１０９を制御する。エンジンＥＣＵ１２５は、マネジメントＥＣＵ１１７の指示に応じて、内燃機関１０７の始動及び停止や、各気筒におけるスロットルバルブの開閉制御及び燃料噴射制御、内燃機関１０７のクランク軸の回転数を制御する。
【００３４】
図２は、本実施形態にかかる電動車両の電池モジュール切替処理系の概略構成を示すブロック図である。本実施形態において、バッテリ１０１は、直列に接続されてボックスに収容された複数の電池モジュールにより構成されており、バイパススイッチ１３３と、商用電源に接続するための接続プラグ１３３と、を備える。バッテリＥＣＵ１１９は、状態検出部１４１と、異常判定部１４３と、モジュール切替制御部１４５と、ボックス開放検知部１４７と、を備える。マネジメントＥＣＵ１１７は、モータ（MOT）トルク演算部１５１と、ジェネレータ（GEN）トルク演算部１５３と、エンジン（ENG）トルク演算部１５５と、を備える。
【００３５】
状態検出部１４１は、バッテリ１０１の各電池モジュールの温度や充電状態（ＳＯＣ：State Of Charge、満充電時と完全放電時をそれぞれ１００（％）と０（％）とし、バッテリの残容量を規格化した値）、電圧、電流等の状態を検出する。異常判定部１４３は、各電池モジュールの状態をもとに、異常が発生している電池モジュールを特定する。モジュール切替制御部１４５は、バイパススイッチ１３３により異常な電池モジュールを通電経路から切り離す。ボックス開放検知部１４７は、各電池モジュールが収納されているボックスの開放を検知する。
【００３６】
モータトルク演算部１５１は、正常な電池モジュールの出力上限値に基づいてトルク演算を行う。ジェネレータトルク演算部１５３及びエンジントルク演算部１５５は、正常な電池モジュールのＳＯＣの上下限値に基づいてトルク演算を行う。
【００３７】
図３は、本実施形態にかかる電池モジュールの切替動作を示すフローチャートである。図３に示すように、まず、状態検出部１４１はバッテリ１０１の状態検知を行う（ステップＳ１）。
【００３８】
バッテリ１０１の状態検知において、状態検出部１４１は、直列に接続されたｉ個の電池モジュールＭ１、Ｍ２、・・・、Ｍｉのそれぞれについて、電流及び電圧、ＳＯＣの上下限値、温度等を検出する。状態検出部１４１により検出されたこれらの情報は、異常判定部１４３に送られる。
【００３９】
異常判定部１４３は、各電池モジュールＭ１、Ｍ２、・・・Ｍｉの電流及び電圧、温度等の状態から、バッテリ１０１のいずれかの電池モジュールに異常が発生しているかどうかを判定する（ステップＳ２）。電池モジュールに異常がなく、全ての電池モジュールが正常である場合には、処理が終了する。
【００４０】
ステップＳ２で、いずれかの電池モジュールに異常が発生していると判定された場合、異常判定部１４３は異常な電池モジュールを特定し、電池モジュールに異常が発生しているという情報をマネジメントＥＣＵ１１７に送る。次いで、マネジメントＥＣＵ１１７は警報を点灯し、バッテリ１０１に異常が発生していることをユーザに警告する（ステップＳ３）。
【００４１】
バッテリＥＣＵ１１９は、状態検出部１４１が検出した各電池モジュールの状態に基づき、異常な電池モジュールを除く正常な電池モジュールのみによる出力上限値Ａを算出する（ステップＳ４）。また、バッテリＥＣＵ１１９は、正常な電池モジュールのみによるＳＯＣの上下限値を算出する（ステップＳ５）。算出された出力上限値Ａ及びＳＯＣの上下限値は、マネジメントＥＣＵ１１７に送られる。
【００４２】
マネジメントＥＣＵ１１７は、出力上限値Ａ≧所定値であるかどうかを判断する（ステップＳ６）。この所定値は、車両を安全に走行させるのに必要な出力の下限値である。従って、出力上限値Ａ≧所定値の場合には、正常な電池モジュールのみによる出力によって車両の走行を続行することができる。この場合、モジュール切替制御部１４５は、異常な電池モジュールのバイパススイッチ１３１をオンにして回路を短絡し、異常な電池モジュールを通電経路から切り離す（ステップＳ７）。
【００４３】
通常、電動機１０５が発生するトルクは、バッテリ１０１が正常に動作している場合の出力に基づき、アクセルペダルの踏み込み量に対応して決められている。しかしながら、異常な電池モジュールが切り離されている場合に、通常のトルク制御を行うと、正常な電池モジュールのみによる出力上限値Ａを超えてしまう可能性がある。これを防ぐために、モータトルク演算部１５３は、正常な電池モジュールのみによる出力上限値Ａに基づいて、モータトルクの演算を行う（ステップＳ８）。正常な電池モジュールのみによる出力上限値Ａに基づいて演算されたモータトルクは、モータＥＣＵ１２１に送られる。
【００４４】
また、ジェネレータトルク演算部１５５及びエンジントルク演算部１５７は、正常な電池モジュールのみにより構成されるバッテリのＳＯＣの上下限値に基づき、それぞれジェネレータトルク及びエンジントルクの演算を行う（ステップＳ９）。ここで演算されたジェネレータトルク及びエンジンルクは、ジェネレータＥＣＵ１２３及びエンジンＥＣＵ１２５に送られる。これらの演算により、車両は正常な電池モジュールのみによって通常走行を行えるようになり、処理が終了する。
【００４５】
ステップＳ６で、出力上限値Ａ＜所定値であると判断された場合には、正常な電池モジュールのみにより走行を継続することができないので、モジュール切替制御部１４５がバイパススイッチ１３１を全てオンにする（ステップＳ１０）。これにより、全ての電池モジュールが通電経路から切り離され、車両は停止し（ステップＳ１１）、処理が終了する。
【００４６】
図４は、電池モジュールを短絡させるバイパススイッチ１３１の動作を示す図である。図４の（ａ）において、３つの電池モジュールＭ１、Ｍ２、Ｍ３は、直列に通電経路に接続されている。（ｂ）では、バイパススイッチ１３１が全てオンにされており、電池モジュールＭ１、Ｍ２、Ｍ３は全て通電経路から切り離されている。
【００４７】
（ｃ）では、電池モジュールＭ１に異常が発生しており、電池モジュールＭ１のバイパススイッチ１３１をオンにすることにより、電池モジュールＭ１が通電経路から切り離されている。（ｄ）においては、電池モジュールＭ２に異常が発生しており、電池モジュールＭ２のバイパススイッチ１３１をオンにすることにより、電池モジュールＭ２が通電経路から切り離されている。（ｅ）においては、電池モジュールＭ３に異常が発生しており、電池モジュールＭ３のバイパススイッチ１３１をオンにすることにより、電池モジュールＭ３が通電経路から切り離されている。
【００４８】
以上説明したように、本実施形態に係る車両によれば、正常な電池モジュールに基づいた出力上限値が所定値以上の場合には、異常な電池モジュールのみを容易に通電経路から切り離すことができ、正常な電池モジュールによって安全に走行を続けることができる。また、正常な電池モジュールの充電状態上限値及び下限値に基づいて走行電動機及びエンジン駆動発電機を制御することにより、実際の電池状態に基づいた走行が可能となる。従って、車両の動作信頼性や安全性を向上させることができる。
【００４９】
また、本実施形態に係る車両の電池モジュール切替処理系は、バッテリ１０１のメンテナンス時に電池モジュールを収納するボックスが開放された際、全ての電池モジュールを通電経路から切り離す安全装置として使用することができる。図５は、バッテリ１０１のメンテナンス時の動作を説明するフローチャートである。まず、ボックス開放検知部１４７は、複数の電池モジュールが収納されているボックスが開放されたかどうかを判断する（ステップＳ２１）。ボックスが開放されていない場合、処理が終了する。ボックスが開放されたと判断された場合には、モジュール切替制御部１４５が全てのバイパススイッチ１３１をオンにする（ステップＳ２２）。これにより、全ての電池モジュールが通電経路から切り離され、処理が終了する。
【００５０】
以上説明したように、本実施形態に係る車両によれば、ボックスが開放されたときには全電池モジュールを通電経路から切り離すことによって、安全性を向上することができる。
【００５１】
また、本実施形態に係る車両の電池モジュール切替処理系は、接続プラグ１３３に商用電源を接続して充電を行う際に、各電池モジュールの状態に応じた充電を行うことができる。図６は、接続プラグ１３３による充電時の動作を示すフローチャートである。まず、マネジメントＥＣＵ１１７は、接続プラグ１３３が商用電源に接続されたかどうかを判断する（ステップＳ３１）。接続プラグ１３３が商用電源に接続されていない場合には、処理が終了する。
【００５２】
接続プラグ１３３が商用電源に接続されていると判断された場合には、状態検出部１４１がバッテリ１０１の状態検知を行う（ステップＳ３２）。状態検出部１４１は、直列に接続されたｉ個の電池モジュールＭ１、Ｍ２、・・・、Ｍｉのそれぞれについて、電流及び電圧、ＳＯＣの上下限値、温度等の状態を検出する。状態検出部１４１により検出されたこれらの情報は、異常判定部１４３に送られる。
【００５３】
異常判定部１４３は、各電池モジュールＭ１、Ｍ２、・・・Ｍｉの電流及び電圧、温度等の状態から、バッテリ１０１のいずれかの電池モジュールに異常が発生しているかどうかを判定する（ステップＳ３３）。電池モジュールに異常がなく、全ての電池モジュールが正常である場合には、処理が終了する。
【００５４】
いずれかの電池モジュールに異常が発生していると判定された場合、モジュール切替制御部１４５は、異常な電池モジュールのバイパススイッチ１３１をオンにする（ステップＳ３４）。これにより、異常な電池モジュールは通電経路から切り離され、処理が終了する。これによって、正常な電池モジュールのみを充電することが可能となる。
【００５５】
尚、充電を行う際には、バイパススイッチ１３１を制御することにより、状態検出部１４１が検出した各電池モジュールのＳＯＣに応じて電池モジュールごとに異なる充電を行ってもよい。
【００５６】
以上説明したように、本実施形態に係る車両によれば、各電池モジュールの状態に応じて充電を行うことができる。
【００５７】
なお、本実施形態の変形例として、バッテリ１０１は、図７に示すように、並列に接続された複数の電池モジュールから構成されてもよい。図７の（ａ）において、３つの電池モジュールＭ１、Ｍ２、Ｍ３は、通電経路に並列に接続されている。（ｂ）では、電池モジュールＭ１、Ｍ２、Ｍ３は全て通電経路から切り離されている。
【００５８】
本変形例において、電池モジュールの切替は、モジュール選択スイッチ１３５により行われる。電池モジュールＭ３に異常が発生している場合には、（ｃ）に示すように、電池モジュールＭ３のモジュール選択スイッチ１３５をオンにすることにより、電池モジュールＭ３を通電経路から切り離すことができる。
【００５９】
本発明は、前述した実施形態に限定されるものではなく、適宜、変形、改良等が可能である。
【符号の説明】
【００６０】
１０１  バッテリ(BATT)
１０５  電動機(MOT)
１０７  多気筒内燃機関(ENG)
１０９  発電機(GEN)
１１７  マネジメントＥＣＵ(MG ECU)
１１９  バッテリＥＣＵ(BATT ECU)
１２１  モータＥＣＵ(MOT ECU)
１２５  エンジンＥＣＵ(ENG ECU)
１３１  バイパススイッチ
【図１】
2010273417.tif 000003
【図２】
2010273417.tif 000004
【図３】
2010273417.tif 000005
【図４】
2010273417.tif 000006
【図５】
2010273417.tif 000007
【図６】
2010273417.tif 000008
【図７】
2010273417.tif 000009